(57)【要約】  収容部（５１）と、収容部（５１）の上下に各々複数設けられた縦壁（８）及び外壁（９）とを有するフロントケース（５）と、収容部（５１）の上下の縦壁（８）及び外壁（９）の間に配置された外部接続端子部（６１）及び収容部（５１）内に配置された固定接点（１）を有する固定接触子（６）と、収容部（５１）内で固定接点（１）に対向して配置された可動接点（２）を有する可動接触子（４）と、固定接点（１）と可動接点（２）とが接触した状態と、離れた状態とを切り替えるように可動接触子（４）を駆動する電磁石部（３４）を収容してフロントケース（５）の後方に装着されるリアケース（３６）と、を備え、フロントケース（５）は、収容部（５１）の前端近傍に、空間（５２）と隔離されて収容部（５１）を上下に貫通する貫通穴（１０）を有する。
2013118292.tif 000002
【特許請求の範囲】
【請求項１】
可動接触子を収容する空間を備えた収容部と、該収容部の上部及び下部に設けられた前後方向に延在する複数の壁部とを有するフロントケースと、
前記壁部同士の間に配置された外部接続端子部及び前記収容部内に配置された固定接点を有する固定接触子と、
前記収容部内で前記固定接点に対向して配置された可動接点を有する前記可動接触子と、
前記可動接触子を駆動する電磁石部を収容して前記フロントケースの後方に装着されるリアケースと、
を備え、
前記フロントケースは、異物を落下させるために上下が開口した貫通穴が前記空間と隔離して形成された異物排出部を前記収容部よりも前方に有することを特徴とする電磁接触器。
【請求項２】
前記フロントケースの前記収容部の上面は、前方へ向かって下がる傾斜面であることを特徴とする請求項１に記載の電磁接触器。
【請求項３】
前記フロントケースは、前記異物排出部の上面で前記貫通穴の前方に土手状のリブを有することを特徴とする請求項２に記載の電磁接触器。
【請求項４】
前記リブは、前記貫通穴に隣接する部分が最前方となるように、後側の面が傾斜していることを特徴とする請求項３に記載の電磁接触器。
【請求項５】
前記フロントケースの前面に、前記フロントケースの前面との間に異物を落下させるために上下が開口した穴を形成する溝が設けられたカバーが装着されたことを特徴とする請求項１に記載の電磁接触器。
【請求項６】
前記電磁石部に連結されたクロスバーを備え、
前記貫通穴は、前記クロスバーが前記フロントケースの外から目視可能となるように前記フロントケースの前面に形成されたクロスバー表示穴を挟んで両側に形成されて、該クロスバー表示穴よりも上方では、両側の前記貫通穴が繋がっており、
前記クロスバー表示穴の上部で該クロスバー表示穴と前記貫通穴とを仕切る壁面には傾斜が設けられていることを特徴とする請求項１〜５のいずれか１つに記載の電磁接触器。
【発明の詳細な説明】
【技術分野】
【０００１】
本発明は、消弧室カバー（アークカバー）を持たない電磁接触器に関し、電磁接触器内部に絶縁物となる異物の侵入を防止し、接点の導通不良・電磁石の動作不良を防ぎ、接触信頼性の向上・電磁接触器の動作を安定させる構造に関する。
【背景技術】
【０００２】
従来の電磁接触器の防塵装置として、消弧室カバー（アークカバー）の消弧隔壁（縦壁間カバー）に縦壁間カバーの側部及び先端部から縦壁間カバー中央部に向かう下り勾配となる傾斜を設けてあり、縦壁間上面の中央部には傾斜溝が形成されており、その傾斜溝は消弧室カバー前面に向かって下り勾配となっており、傾斜溝に連通する開口部が設けてあり、開口部には消弧室カバー前面側に向けた落とし穴が設けてあり、その落とし穴と連通する開口を設けたものがある。【０００３】
上記構成においては、微小異物が縦壁間カバーの上面に落下すると、その微小異物は傾斜面により縦壁間カバーの中央部に移動し、縦壁間カバーの側部と縦壁間の溝との間、及び、端子カバーの中央側端部と縦壁間カバーの先端部との間に微小隙間があっても、電磁接触器の振動などによって、微小異物が微小隙間から電磁接触器内に侵入しないようにしている（例えば、特許文献１参照。）。
【先行技術文献】
【特許文献】
【０００４】
【特許文献１】特開２００６−３１０１８４号公報
【発明の概要】
【発明が解決しようとする課題】
【０００５】
しかしながら、ハウジングと消弧室カバーとの微小隙間を小さくすることには、量産される電磁接触器として組立結合不良を避けるために限界があり、上記従来の技術によれば、微小隙間から微小異物が電磁接触機内に侵入することがある。【０００６】
また、消弧室カバー前面に向けた落とし穴へ移動した異物が、クロスバー表示穴上面近辺を通過し、電磁接触器の開閉による空気の対流や制御機器からの振動により、クロスバー表示穴へ微小異物が吸い込まれ、電磁接触器内に侵入することがある。【０００７】
また、電磁接触器前面にユニットを追加することにより落とし穴が封鎖されるため、微小異物が堆積し続け、電磁接触器の開閉振動や制御機器からの振動により、微小隙間から異物が電磁接触器内に侵入することがある。【０００８】
このようにして電磁接触機内に侵入した微小異物は、接点の導通不良や電磁石の動作不良を引き起こすという問題があった。【０００９】
本発明は、上記に鑑みてなされたものであって、内部への微小異物の侵入を防ぎ、接点の導通不良や電磁石の動作不良の発生を低減した電磁接触器を得ることを目的とする。
【課題を解決するための手段】
【００１０】
上述した課題を解決し、目的を達成するために、本発明は、可動接触子を収容する空間を備えた収容部と、収容部の上下に各々複数設けられた前後方向の壁部とを有するフロントケースと、収容部の上下の壁部同士の間に配置された外部接続端子部及び収容部内に配置された固定接点を有する固定接触子と、収容部内で固定接点に対向して配置された可動接点を有する前記可動接触子と、固定接点と可動接点とが接触した状態と、離れた状態とを切り替えるように可動接触子を駆動する電磁石部を収容してフロントケースの後方に装着されるリアケースと、を備え、フロントケースは、収容部の前端近傍に、空間と隔離されて収容部を上下に貫通する貫通穴を有することを特徴とする。
【発明の効果】
【００１１】
本発明にかかる電磁接触器は、振動や空気の対流によって微小異物が微小隙間を通って電磁接触器内に入り込むことを防ぎ、接点の導通不良や電磁石の動作不良の発生を低減できるという効果を奏する。
【図面の簡単な説明】
【００１２】
【図１】図１は、本発明にかかる電磁接触器の実施の形態１の正規取付状態における正面図である。
【図２】図２は、電磁接触器の構成を示す断面図である。
【図３Ａ】図３Ａは、フロントケースの構造を示す上面図である。
【図３Ｂ】図３Ｂは、フロントケースの構造を示す正面図である。
【図３Ｃ】図３Ｃは、フロントケースの構造を示す下面図である。
【図４】図４は、縦壁同士の間に落下した異物の動きを示す図である。
【図５】図５は、フロントケースの前面にユニットを取り付けた電磁接触器の正面図である。
【図６】図６は、前面にユニットを取り付けたフロントケースの側面図である。
【図７Ａ】図７Ａは、前面にカバーを装着したフロントケースを示す上面図である。
【図７Ｂ】図７Ｂは、前面にカバーを装着したフロントケースを示す正面図である。
【図７Ｃ】図７Ｃは、前面にカバーを装着したフロントケースを示す下面図である。
【図８】図８は、実施の形態２にかかる電磁接触器のフロントケースの構成を示す断面図である。
【図９】図９は、実施の形態３にかかる電磁接触器のフロントケースの構成を示す断面図である。
【図１０】図１０は、実施の形態４にかかる電磁接触器のフロントケースの上面図である。
【図１１】図１１は、実施の形態５にかかる電磁接触器のフロントケースの構成を示す断面図である。
【発明を実施するための形態】
【００１３】
以下に、本発明にかかる電磁接触器の実施の形態を図面に基づいて詳細に説明する。なお、この実施の形態によりこの発明が限定されるものではない。
【００１４】
実施の形態１．
図１は、本発明にかかる電磁接触器の実施の形態１の正規取付状態における正面図である。図２は、電磁接触器の構成を示す断面図であり、図１におけるＩＩ−ＩＩ線に沿った断面を示している。図３Ａ〜図３Ｃは、フロントケースの構造を示す図であり、図３Ａは上面図、図３Ｂは正面図、図３Ｃは下面図である。
【００１５】
電磁接触器２０は、フロントケース５とリアケース３６とからなるハウジング５０内に、操作コイル３１、固定鉄心３２、可動鉄心３３で構成される電磁石部３４と、負荷電流を入切するための固定接点１と、可動接点２及び引き外しバネ３５などを備えている。
【００１６】
可動鉄心３３は、クロスバー３が連結されており、クロスバー３には可動接触子４が組み込まれている。可動接触子４には可動接点２が溶接やかしめなどの方法により固着されている。
【００１７】
樹脂成型したフロントケース５は、ハウジングと消弧室カバーとの組立結合不良防止のための微小隙間がないため、固定接触子６との隙間及びクロスバー表示穴７を除き、電磁接触器２０の内部へ侵入する隙間はなく、電磁接触器２０の前面や、縦壁８同士の間、縦壁８と外壁９との間を覆っている。なお、後述するユニット１２を取り付けるために電磁接触器２０の前面に設けられたユニット取付溝１６は、フロントケース５を貫通していないため、ここから電磁接触器２０内に異物が侵入することはない。
【００１８】
フロントケース５は、可動接触子４を収容する空間５２が設けられた収容部５１を備えている。フロントケース５には固定接触子６が組み込まれており、固定接触子６には固定接点１が固着されている。また、固定接触子６が備える外部端子接続部６１は、縦壁８同士の間、縦壁８と外壁９との間に配置されている。
【００１９】
操作コイル３１が無励磁の時は引き外しバネ３５により固定接点１と可動接点２とは離間していて、電流が負荷に流れない状態になっている（図２）。
【００２０】
操作コイル３１を励磁すると可動鉄心３３が固定鉄心３２に吸引され、可動鉄心３３の動きに連動したクロスバー３と可動接点２とが固定接点１に接触して回路を閉じる。
【００２１】
操作コイル３１の励磁を解除すると、引き外しバネ３５により可動鉄心３３が固定鉄心３２から解放され、同時に可動接点２が固定接点１から離間して負荷電流が遮断される状態となる（図２の状態へ戻る）。
【００２２】
接点開閉時に発生するアークの外部放出は樹脂成型したフロントケース５にて防止している。
【００２３】
フロントケース５の収容部５１よりも前方には、貫通穴１０を備えた異物排出部５３が設けられている。貫通穴１０は、縦壁８とフロントケース５の前端部との間に設けられていて上面から下面の排出口１１へつながっており、空間５２とは隔離されている。
【００２４】
図４は、縦壁８同士の間に落下した異物１５の動きを示す図であり、リアケース３６は省略してフロントケース５内の構成のみを図示している。実施の形態１によれば、微小異物が縦壁８同士の間の上面や縦壁８と外壁９との間の上面に落下し、微小異物が貫通穴１０へ移動してしまえば、微小異物は電磁接触器２０の前面側へ排出されることはなく、排出口１１から電磁接触器２０の下面へ確実に排出される。従って、フロントケース５の前面に構成されたクロスバー表示穴７への異物の侵入はなく、電磁接触器２０内に異物が入り込まないため、固定接点１及び可動接点２の導通不良や電磁石の動作不良の発生を低減できる。
【００２５】
図５は、フロントケース５の前面にユニット１２を取り付けた電磁接触器２０の正面図である。図６は、前面にユニット１２を取り付けたフロントケース５の側面図である。ユニット１２は、補助接点ユニットや主回路サージ吸収器ユニット、タイマユニットなどの電磁接触器２０に付加機能を付与するオプションユニットである。電磁接触器２０の前面にユニット１２を取り付けた場合においても、上面から下面へつながる貫通穴１０であるため、微小異物が堆積することもなく、接触器下面へ排出され、固定接点１及び可動接点２の導通不良や電磁石の動作不良の発生を低減できる。
【００２６】
図７Ａ〜図７Ｃは、前面にカバーを装着したフロントケースを示す図であり、図７Ａは上面図、図７Ｂは正面図、図７Ｃは下面図である。フロントケース５の前面にユニット１２を取り付けない場合には、ユニット取付溝１６を利用してカバー１７を取り付けるようにしてもよい。カバー１７に、フロントケース５の前面との間に上下が開口した穴１８を形成する溝１９を設けることにより、フロントケース５の上面に落下した異物を、穴１８を介してフロントケース５の下面へ排出することも可能となる。これにより、フロントケース５の前面に構成されたクロスバー表示穴７への異物の侵入をより確実に防止することが可能となる。
【００２７】
実施の形態２．
実施の形態２にかかる電磁接触器２０は、全体としては、実施の形態１と同様にフロントケース５の後方にリアケースが装着された構造である。図８は、実施の形態２にかかる電磁接触器のフロントケースの構成を示す断面図である。図８は、リアケース側は省略してフロントケース５内の構成のみを図示している。実施の形態２にかかる電磁接触器２０は、フロントケース５の収容部５１の上面部に貫通穴１０側へ向かって下がる傾斜１３ａを設けた点で実施の形態１と相違する。
【００２８】
実施の形態２にかかる電磁接触器２０によれば、微小異物が縦壁間８上面及び外壁間９上面に落下すると、その微小異物は収容部５１上面の傾斜１３ａによって確実に落とし穴である貫通穴１０へ移動する。よって、フロントケース５と固定接触子６との間に微小隙間があっても、電磁接触器２０の振動によって微小異物が微小隙間を通って電磁接触器２０内に入り込まず、固定接点１及び可動接点２の導通不良や電磁石の動作不良の発生を低減できる。
【００２９】
実施の形態３．
実施の形態３にかかる電磁接触器２０は、全体としては、実施の形態１、２と同様にフロントケース５の後方にリアケースが装着された構造である。図９は、実施の形態３にかかる電磁接触器のフロントケースの構成を示す断面図である。図９は、リアケース側は省略してフロントケース５内の構成のみを図示している。実施の形態３にかかる電磁接触器２０は、フロントケース５に構成された縦壁８同士の間及び縦壁８と外壁９との間の上面部に１４ｂを、異物排出部５３の上面部にリブ１４ａを設け、上面部にフランジ形状を構成している点で実施の形態２と相違する。
【００３０】
また、フランジ形状を構成する電磁接触器２０の前端に位置する土手状のリブ１４ａの高さは、後側のリブ１４ｂの高さ＋貫通穴１０へ下る斜面１３ａ分の高さを有している。リブ１４ａの高さをこの高さ以上とすることで、異物がリブ１４ａを超えて電磁接触器２０の前面へ移動することを防止し、確実に貫通穴１０へ落とすことが可能となる。
【００３１】
実施の形態３にかかる電磁接触器２０によれば、収容部５１の上面に傾斜１３ａを設けていること及び収容部５１の前端にフランジ形状を構成していることによって、微小異物が縦壁８同士の間の上面や縦壁８と外壁９との間の上面に落下すると、その微小異物は確実に貫通穴１０へ移動する。これにより、振動だけでなく、空気の対流によって微小異物が微小隙間を通って電磁接触器２０内に入り込むことや、電磁接触器２０の前面に微小異物が飛散することを防止できる。よって、固定接点１及び可動接点２の導通不良や電磁石の動作不良の発生を低減できる。
【００３２】
また、リブ１４ａを備えるため、電磁接触器２０の正面に型名や端子番号などを表示するスペースを確保しやすい。
【００３３】
実施の形態４．
実施の形態４にかかる電磁接触器２０は、全体としては、実施の形態１〜３と同様にフロントケース５の後方にリアケースが装着された構造である。図１０は、実施の形態４にかかる電磁接触器のフロントケースの上面図である。図１０は、リアケース側は省略してフロントケース５のみを図示している。実施の形態４にかかる電磁接触器２０は、微小異物を貫通穴１０へ誘導する傾斜１３ｂをリブ１４ａの後側の面に有しており、リブ１４ａは貫通穴１０に隣接する部分が最前方となるように、後側の面が傾斜している点で実施の形態３と相違する。
【００３４】
実施の形態４にかかる電磁接触器２０によれば、微小異物が縦壁８間上面及び外壁９間上面に落下すると、その微小異物は収容部５１上面の傾斜１３ａによって貫通穴１０へ移動し、傾斜１３ｂにより、縦壁８と外壁９との間にあるリブ１４ａに堆積した異物を貫通穴１０へ誘導する。振動だけでなく、空気の対流によって微小異物が微小隙間を通って電磁接触器２０内に入り込むことや、電磁接触器２０の前面に微小異物が飛散することを防止できる。よって、固定接点１及び可動接点２の導通不良や電磁石の動作不良の発生を低減できる。
【００３５】
実施の形態５．
実施の形態５にかかる電磁接触器２０は、全体としては、実施の形態１〜４と同様にフロントケース５の後方にリアケースが装着された構造であり、上面は実施の形態４と同様である。図１１は、実施の形態５にかかる電磁接触器のフロントケースの構成を示す断面図であり、図１０におけるＸＩ−ＸＩ線に沿った断面を示している。なお、図１０に示した電磁接触器２０の上面は、図１１における矢印Ｘ方向から見た面である。すなわち、図１１においては紙面下側が電磁接触器２０の上面であり、紙面上側が電磁接触器２０の下面となっている。実施の形態５にかかる電磁接触器２０は、貫通穴１０の内部に傾斜１３ｃを有する点で実施の形態４と相違する。
【００３６】
貫通穴１０は、クロスバー３がハウジング５０の外から目視可能となるようにフロントケース５の前面に形成されたクロスバー表示穴７を挟んで両側に形成されており、クロスバー表示穴７よりも下方では、両側の貫通穴１０が繋がっている。実施の形態５では、クロスバー表示穴７の上部でクロスバー表示穴７と貫通穴１０とを仕切る壁面には傾斜が設けられており、クロスバー表示穴７の壁面の平坦部１３ｄが小さくなっており、平坦部１３ｄから横方向に移動した微小異物を傾斜１３ｃに沿って滑り落とすことができる。
【００３７】
実施の形態５によれば、貫通穴１０にある前面に平行な面に移動した微小異物を、電磁接触器２０の振動や空気の対流によって、傾斜面を伝い、速やかに微小異物を下面へと排出できる。このため、固定接点１及び可動接点２の導通不良や電磁石の動作不良の発生を低減できる。
【産業上の利用可能性】
【００３８】
以上のように、本発明にかかる電磁接触器は、内部への異物の侵入を防止できる点で有用であり、特に、粉塵等の発生しやすい環境下での使用に適している。
【符号の説明】
【００３９】
１  固定接点
２  可動接点
３  クロスバー
４  可動接触子
５  フロントケース
６  固定接触子
７  クロスバー表示穴
８  縦壁
９  外壁
１０  貫通穴
１１  排出口
１２  ユニット
１３ａ、１３ｂ、１３ｃ  傾斜
１３ｄ  平坦部
１４ａ、１４ｂ  リブ
１５  異物
１６  ユニット取付溝
１７  カバー
１８  穴
２０  電磁接触器
３１  操作コイル
３２  固定鉄心
３３  可動鉄心
３４  電磁石部
３５  引き外しバネ
３６  リアケース
５０  ハウジング
５１  収容部
５２  空間
５３  異物排出部
６１  外部端子接続部
【図１】
2013118292.tif 000003
【図２】
2013118292.tif 000004
【図３Ａ】
2013118292.tif 000005
【図３Ｂ】
2013118292.tif 000006
【図３Ｃ】
2013118292.tif 000007
【図４】
2013118292.tif 000008
【図５】
2013118292.tif 000009
【図６】
2013118292.tif 000010
【図７Ａ】
2013118292.tif 000011
【図７Ｂ】
2013118292.tif 000012
【図７Ｃ】
2013118292.tif 000013
【図８】
2013118292.tif 000014
【図９】
2013118292.tif 000015
【図１０】
2013118292.tif 000016
【図１１】
2013118292.tif 000017
【国際調査報告】
2013118292.tif 000018
2013118292.tif 000019
2013118292.tif 000020
2013118292.tif 000021